(57)【要約】  【課題】  １ビット信号の伝送誤りを小さくすることができる１ビット信号伝送システムを構成する１ビット信号送信装置及び１ビット信号受信装置を提供する。  【解決手段】  １ビット信号送信装置は、クロック信号を生成するクロック生成回路５と、前記クロック信号を用いて、アナログ信号或いはマルチビット信号を１ビット信号に変換するデルタシグマ変調回路１Ｒ及び１Ｌと、前記クロック信号に基づく信号を前記１ビット信号に合成して送信する送信手段（ＡＳＫ変調回路２Ｒ、２Ｌ、及び６と合成回路３とミリ波送信部４からなる回路）とを備える。なお、前記１ビット信号送信装置からの信号を受信する１ビット信号受信装置は、１ビット信号にクロック信号に基づく信号が合成された伝送信号を受信する受信手段と、前記クロック信号を用いて、前記１ビット信号を波形整形する波形整形回路とを備える。【選択図】      図１
2006128991.tif 000002
【特許請求の範囲】
【請求項１】
クロック信号を生成するクロック生成手段と、
前記クロック信号を用いて、アナログ信号或いはマルチビット信号を２値からなる１ビット信号に変換する１ビット信号生成手段と、
前記クロック信号に基づく信号を前記１ビット信号に重畳又は合成して送信する送信手段とを備えることを特徴とする１ビット信号送信装置。
【請求項２】
前記送信手段が、前記１ビット信号をディジタル変調する第１の変調部と、前記クロック信号に基づく信号をディジタル変調する第２の変調部と、第２の変調部から出力される変調信号を第１の変調部から出力される変調信号に重畳又は合成して送信する送信部とを備える請求項１に記載の１ビット信号送信装置。
【請求項３】
第１の変調部及び第２の変調部の変調方式が、ＡＳＫ変調、ＦＳＫ変調、ＰＳＫ変調のいずれかである請求項２に記載の１ビット信号送信装置。
【請求項４】
前記１ビット信号が複数チャンネルの信号であり、第１の変調部が前記１ビット信号をチャンネル毎に異なる周波数の変調信号に変調する請求項２または請求項３に記載の１ビット信号送信装置。
【請求項５】
２値からなる１ビット信号にクロック信号に基づく信号が重畳又は合成された伝送信号を受信する受信手段と、
前記クロック信号を用いて、前記１ビット信号を波形整形する波形整形手段とを備えることを特徴とする１ビット信号受信装置。
【請求項６】
前記伝送信号が、前記１ビット信号の変調信号に前記クロック信号に基づく信号の変調信号が重畳又は合成されたものであって、
前記受信手段が、前記伝送信号を受信する受信部と、前記１ビット信号の変調信号をディジタル復調する第１の復調部と、前記クロック信号に基づく信号の変調信号をディジタル復調する第２の復調部とを備える請求項５に記載の１ビット信号受信装置。
【請求項７】
第１の復調部及び第２の復調部の復調方式が、ＡＳＫ復調、ＦＳＫ復調、ＰＳＫ復調のいずれかである請求項６に記載の１ビット信号受信装置。
【請求項８】
前記１ビット信号が複数チャンネルの信号であり、前記１ビット信号の変調信号が前記１ビット信号のチャンネル毎に異なる周波数の変調信号であって、
第１の復調部が、前記１ビット信号のチャンネル毎に異なる周波数の変調信号を復調する請求項６または請求項７に記載の１ビット信号受信装置。
【発明の詳細な説明】
【技術分野】
【０００１】
本発明は、アナログ信号或いはマルチビット信号を１ビット変換した１ビット信号を無線伝送する技術に関するものである。
【背景技術】
【０００２】
アナログ信号或いはマルチビット信号をデルタシグマ変調して得られる１ビット信号は、当該デルタシグマ変調を行うデルタシグマ変調回路内の積分器や加算器の係数を適宜選択することによって、有効周波数帯域を広くしたり、またはダイナミックレンジを広くしたりするなどの音源等に合わせた周波数特性を設定できるという優れた特徴を有している。このため、ＣＤ（コンパクトディスク）やＳＡＣＤ（スーパーオーディオコンパクトディスク）の新しい規格では、音声信号の記録に１ビット信号が採用され製品化されている。１ビット信号は、このような音声信号の記録に用いられるのみならず、電力増幅や機器間の信号伝送にも用いられる。
【０００３】
ここで、従来の１ビット信号送信装置の一構成例を図３に示し、従来の１ビット信号受信装置の一構成例を図４に示す。
【０００４】
図３に示す従来の１ビット信号送信装置は、デルタシグマ変調回路１Ｒ及び１Ｌと、ＡＳＫ（Amplitude Shift Keying）変調回路２Ｒ及び２Ｌと、合成回路３と、ミリ波送信部４と、クロック生成回路５とによって構成される。そして、ミリ波送信部４は、ミキサ４Ａと、局部発振回路４Ｂと、バンドパスフィルタ４Ｃと、パワーアンプ４Ｄと、送信アンテナ４Ｅとによって構成される。
【０００５】
図３に示す従来の１ビット信号送信装置は、アナログ信号或いはマルチビット信号であるＲｃｈの音声信号ＳRをデルタシグマ変調回路１Ｒによりデルタシグマ変調して得られる１ビット信号をＡＳＫ変調回路２ＲによりＡＳＫ変調した第１の周波数帯の変調信号と、アナログ信号或いはマルチビット信号であるＬｃｈの音声信号ＳLをデルタシグマ変調回路１Ｌによりデルタシグマ変調して得られる１ビット信号をＡＳＫ変調回路２ＬによりＡＳＫ変調した第２の周波数帯の変調信号とを合成回路３により合成し、その合成によって得られた合成信号をミリ波送信部４によりミリ波帯へ周波数上昇変換して無線送信する。なお、デルタシグマ変調回路１Ｒ及び１Ｌは、クロック生成回路５から出力されるクロック信号を用いてサンプリングをし、デルタシグマ変調を行っている。
【０００６】
図４に示す従来の１ビット信号受信装置は、図３に示す従来の１ビット信号送信装置から送信されるミリ波信号を受信する受信装置であって、ミリ波受信部７Ｒ及び７Ｌと、バンドパスフィルタ８Ｒ及び８Ｌと、アンプ９Ｒ及び９Ｌと、ＡＳＫ復調回路１０Ｒ及び１０Ｌと、波形整形回路１１Ｒ及び１１Ｌと、１ビットディジタルアンプ１２Ｒ及び１２Ｌと、スピーカ１３Ｒ及び１３Ｌと、クロック生成回路１９とによって構成される。そして、ミリ波受信部７Ｒは、受信アンテナ７ＲＡと、ローノイズアンプ７ＲＢと、バンドパスフィルタ７ＲＣと、ミキサ７ＲＤと、局部発振回路７ＲＥとによって構成され、ミリ波受信部７Ｌは、受信アンテナ７ＬＡと、ローノイズアンプ７ＬＢと、バンドパスフィルタ７ＬＣと、ミキサ７ＬＤと、局部発振回路７ＬＥとによって構成される。
【０００７】
図４に示す従来の１ビット信号受信装置は、図３に示す従来の１ビット信号送信装置から送信されるミリ波信号をミリ波受信部７Ｒにより受信して周波数下降変換し、バンドパスフィルタ８Ｒにより上記第１の周波数帯のみを通過させ、アンプ９Ｒにより増幅し、ＡＳＫ復調回路１０ＲによりＡＳＫ復調し、波形整形回路１１Ｒにより波形整形して得られた信号を１ビットディジタルアンプ１２Ｒによりディジタル増幅した後１ビットディジタルアンプ１２Ｒ内のローパスフィルタ（不図示）によりアナログ信号に変換し、スピーカ１３Ｒによりそのアナログ信号に応じた音声出力を行う。また、図４に示す従来の１ビット信号受信装置は、図３に示す従来の１ビット信号送信装置から送信されるミリ波信号をミリ波受信部７Ｌにより受信して周波数下降変換し、バンドパスフィルタ８Ｌにより上記第２の周波数帯のみを通過させ、アンプ９Ｌにより増幅し、ＡＳＫ復調回路１０ＬによりＡＳＫ復調し、波形整形回路１１Ｌにより波形整形して得られた信号を１ビットディジタルアンプ１２Ｌによりディジタル増幅した後１ビットディジタルアンプ１２Ｌ内のローパスフィルタ（不図示）によりアナログ信号に変換し、スピーカ１３Ｌによりそのアナログ信号に応じた音声出力を行う。なお、波形整形回路１１Ｒ及び１１Ｌは、クロック生成回路１９から出力されるクロック信号を用いてサンプリングをし、波形整形を行っている。
【特許文献１】特開平１０−２３３６８７号公報
【発明の開示】
【発明が解決しようとする課題】
【０００８】
図３に示す従来の１ビット信号送信装置と図４に示す従来の１ビット信号受信装置とから成る１ビット信号伝送システムでは、伝送経路における外来ノイズや信号処理による遅延などによって、図４に示す従来の１ビット信号受信装置の波形整形回路１１Ｒ及び１１Ｌから各々出力される１ビット信号の伝送誤りが大きくなり、高品位な音声出力が困難であるという問題があった。なお、特許文献１において提案されている信号伝送装置も同様の問題点を有している。
【０００９】
本発明は、上記の問題点に鑑み、１ビット信号の伝送誤りを小さくすることができる１ビット信号伝送システムを構成する１ビット信号送信装置及び１ビット信号受信装置を提供することを目的とする。
【課題を解決するための手段】
【００１０】
上記目的を達成するために本発明に係る１ビット信号送信装置は、クロック信号を生成するクロック生成手段と、前記クロック信号を用いて、アナログ信号或いはマルチビット信号を２値からなる１ビット信号に変換する１ビット信号生成手段と、前記クロック信号に基づく信号を前記１ビット信号に重畳又は合成して送信する送信手段とを備える構成とする。
【００１１】
上記構成の１ビット信号送信装置と後述する１ビット信号受信装置とから成る１ビット信号伝送システムでは、前記クロック信号に基づく信号が前記１ビット信号と同様の処理によって無線伝送されるので、伝送経路における外来ノイズや信号処理による遅延などの影響が相殺される。したがって、後述する１ビット信号受信装置の波形整形手段が、上記無線伝送された前記クロック信号に基づく信号から得られるクロック信号を用いて前記１ビット信号の波形整形を行うことにより、前記１ビット信号の伝送誤り及びジッターを小さくすることができる。なお、前記クロック信号に基づく信号は、クロック信号のジッターの影響を最小限に抑える為に、前記クロック信号の分周信号が用いられるが、前記クロック信号そのもの、又は前記クロック信号の逓倍信号を用いても良い。
【００１２】
また、前記送信手段が、前記１ビット信号をディジタル変調する第１の変調部と、前記クロック信号に基づく信号をディジタル変調する第２の変調部と、第２の変調部から出力される変調信号を第１の変調部から出力される変調信号に重畳又は合成して送信する送信部とを備えるようにするとよい。この場合、第１の変調部及び第２の変調部の変調方式を、ＡＳＫ変調、ＦＳＫ変調、ＰＳＫ変調のいずれかにすることが望ましい。また、多チャンネルの信号送信を実現するために、前記１ビット信号を複数チャンネルの信号とし、第１の変調部が前記１ビット信号をチャンネル毎に異なる周波数の変調信号に変調するようにしてもよい。
【００１３】
上記目的を達成するために本発明に係る１ビット信号受信装置は、２値からなる１ビット信号にクロック信号に基づく信号が重畳又は合成された伝送信号を受信する受信手段と、前記クロック信号を用いて、前記１ビット信号を波形整形する波形整形手段とを備える構成とする。
【００１４】
上記構成の１ビット信号受信装置と上述した１ビット信号受信装置とから成る１ビット信号伝送システムにおいては、上述したように前記１ビット信号の伝送誤りを小さくすることができる。
【００１５】
また、前記伝送信号が、前記１ビット信号の変調信号に前記クロック信号に基づく信号の変調信号が重畳又は合成されたものであって、前記受信手段が、前記伝送信号を受信する受信部と、前記１ビット信号の変調信号をディジタル復調する第１の復調部と、前記クロック信号に基づく信号の変調信号をディジタル復調する第２の復調部とを備えるようにするとよい。この場合、第１の復調部及び第２の復調部の復調方式を、ＡＳＫ復調、ＦＳＫ復調、ＰＳＫ復調のいずれかにすることが望ましい。また、多チャンネルの信号受信を実現するために、前記１ビット信号を複数チャンネルの信号とし、前記１ビット信号の変調信号を前記１ビット信号のチャンネル毎に異なる周波数の変調信号とし、第１の復調部が、前記１ビット信号のチャンネル毎に異なる周波数の変調信号を復調するようにしてもよい。
【発明の効果】
【００１６】
本発明によると、１ビット信号の伝送誤り及びジッターを小さくすることができる１ビット信号伝送システムを構成する１ビット信号送信装置及び１ビット信号受信装置を実現することができる。
【発明を実施するための最良の形態】
【００１７】
本発明の一実施形態について図面を参照して以下に説明する。まず、本発明に係る１ビット信号送信装置について説明する。本発明に係る１ビット信号送信装置の一構成例を図１に示す。なお、図１において図３と同一の部分には同一の符号を付す。
【００１８】
図１に示す本発明に係る１ビット信号送信装置は、デルタシグマ変調回路１Ｒ及び１Ｌと、ＡＳＫ変調回路２Ｒ及び２Ｌと、合成回路３と、ミリ波送信部４と、クロック生成回路５と、ＡＳＫ変調回路６とによって構成される。そして、ミリ波送信部４は、ミキサ４Ａと、局部発振回路４Ｂと、バンドパスフィルタ４Ｃと、パワーアンプ４Ｄと、送信アンテナ４Ｅとによって構成される。
【００１９】
続いて、図１に示す本発明に係る１ビット信号送信装置の動作について説明する。クロック生成回路５は、クロック信号をデルタシグマ変調回路１Ｒ及び１Ｌに供給し、前記クロック信号の分周信号である分周クロック信号をＡＳＫ変調回路６に出力する。
【００２０】
デルタシグマ変調回路１Ｒは、クロック生成回路５から出力されるクロック信号を用いてサンプリングをし、例えば５．６４４８ＭＨｚのサンプリングレートで、アナログ信号或いはマルチビット信号であるＲｃｈの音声信号ＳRを１ビットオーディオ信号に変換する。デルタシグマ変調回路１Ｌは、クロック生成回路５から出力されるクロック信号を用いてサンプリングをし、例えば５．６４４８ＭＨｚのサンプリングレートで、アナログ信号或いはマルチビット信号であるＬｃｈの音声信号ＳLを１ビットオーディオ信号に変換する。
【００２１】
ＡＳＫ変調回路２Ｒは、デルタシグマ変調回路１Ｒから出力される１ビットオーディオ信号を第１の周波数ｆ１（例えば、１．７ＧＨｚ）の搬送波でＡＳＫ変調する。ＡＳＫ変調回路２Ｌは、デルタシグマ変調回路１Ｌから出力される１ビットオーディオ信号を第２の周波数ｆ２（例えば、１．９ＧＨｚ）の搬送波でＡＳＫ変調する。ＡＳＫ変調回路６は、クロック生成回路５から出力される分周クロック信号を第３の周波数ｆ３（例えば、１．４ＧＨｚ）の搬送波でＡＳＫ変調する。
【００２２】
合成回路３は、ＡＳＫ変調回路２Ｒから出力される変調信号と、ＡＳＫ変調回路２Ｌから出力される変調信号と、ＡＳＫ変調回路６から出力される変調信号とを合成し、その合成によって得られた合成信号をミリ波送信部４に出力する。
【００２３】
ミリ波送信部４は、合成回路３から出力される合成信号と局部発振回路４Ｂから出力される第４の周波数ｆ４（例えば、５９ＧＨｚ）の局部発振信号とをミキサ４Ａにより混合することによって、合成回路３から出力される合成信号をミリ波帯信号に周波数上昇変換し、ミキサ４Ａから出力されるミリ波帯信号をバンドパスフィルタ４Ｃにより所定のミリ波周波数帯のみを通過させ、パワーアンプ４Ｄにより電力増幅して得られた信号を送信アンテナ４Ｅから空間に放出する。送信アンテナ４Ｅから空間に放出されるミリ波帯信号は、例えばそれぞれの中心周波数が６０．４ＧＨｚ、６０．７ＧＨｚ、６０．９ＧＨｚの信号を合成した信号である。
【００２４】
次に、本発明に係る１ビット信号受信装置について説明する。本発明に係る１ビット信号受信装置の一構成例を図２に示す。なお、図２において図４と同一の部分には同一の符号を付す。
【００２５】
図２に示す本発明に係る１ビット信号受信装置は、図１に示す本発明に係る１ビット信号送信装置から送信されるミリ波信号を受信する受信装置であって、ミリ波受信部７Ｒ及び７Ｌと、バンドパスフィルタ８Ｒ及び８Ｌと、アンプ９Ｒ及び９Ｌと、ＡＳＫ復調回路１０Ｒ及び１０Ｌと、波形整形回路１１Ｒ及び１１Ｌと、１ビットディジタルアンプ１２Ｒ及び１２Ｌと、スピーカ１３Ｒ及び１３Ｌと、分離回路１４Ｒ及び１４Ｌと、バンドパスフィルタ１５Ｒ及び１５Ｌと、アンプ１６Ｒ及び１６Ｌと、ＡＳＫ復調回路１７Ｒ及び１７Ｌと、ＰＬＬ回路１８Ｒ及び１８Ｌとによって構成される。そして、ミリ波受信部７Ｒは、受信アンテナ７ＲＡと、ローノイズアンプ７ＲＢと、バンドパスフィルタ７ＲＣと、ミキサ７ＲＤと、局部発振回路７ＲＥとによって構成され、ミリ波受信部７Ｌは、受信アンテナ７ＬＡと、ローノイズアンプ７ＬＢと、バンドパスフィルタ７ＬＣと、ミキサ７ＬＤと、局部発振回路７ＬＥとによって構成される。
【００２６】
続いて、図２に示す本発明に係る１ビット信号受信装置の動作について説明する。
【００２７】
図１に示す本発明に係る１ビット信号送信装置から送信されるミリ波信号がミリ波受信部７Ｒの受信アンテナ７ＲＡで受信される。ミリ波受信部７Ｒは、受信アンテナ７ＲＡで受信された信号をローノイズアンプ７ＲＢにより増幅し、バンドパスフィルタ７ＲＣにより所定のミリ波周波数帯のみを通過させて得られた信号を、ミキサ７ＲＤにより局部発振回路７ＲＥから出力される第４の周波数ｆ４（例えば、５９ＧＨｚ）の局部発振信号と混合することによって周波数下降変換したのち分離回路１４Ｒに出力する。ミリ波受信部７Ｒから分離回路１４Ｒに出力される信号は、例えばそれぞれの中心周波数が１．４ＧＨｚ、１．７ＧＨｚ、１．９ＧＨｚの信号を合成した信号である。
【００２８】
分離回路１４Ｒは、ミリ波受信部７Ｒから出力される信号から中心周波数が上記第１の周波数（例えば、１．７ＧＨｚ）の信号を分離してバンドパスフィルタ８Ｒに送出するとともに、ミリ波受信部７Ｒから出力される信号から中心周波数が上記第３の周波数（例えば、１．４ＧＨｚ）の信号を分離してバンドパスフィルタ１５Ｒに送出する。
【００２９】
分離回路１４Ｒから出力された中心周波数が上記第１の周波数（例えば、１．７ＧＨｚ）の信号を、バンドパスフィルタ８Ｒにより上記第１の周波数帯のみを通過させ、アンプ９Ｒにより増幅し、ＡＳＫ復調回路１０ＲによりＡＳＫ復調し、波形整形回路１１Ｒにより波形整形して得られた信号を１ビットディジタルアンプ１２Ｒによりディジタル増幅した後１ビットディジタルアンプ１２Ｒ内のローパスフィルタ（不図示）によりアナログ信号に変換し、スピーカ１３Ｒによりそのアナログ信号に応じた音声出力を行う。なお、波形整形回路１１Ｒは、後述するＰＬＬ回路１８Ｒから出力されるクロック信号を用いてサンプリングをし、波形整形を行っている。
【００３０】
分離回路１４Ｒから出力された中心周波数が上記第３の周波数（例えば、１．４ＧＨｚ）の信号を、バンドパスフィルタ１５Ｒにより上記第３の周波数帯のみを通過させ、アンプ１６Ｒにより増幅し、ＡＳＫ復調回路１７ＲによりＡＳＫ復調して得られた信号（図１に示す本発明に係る１ビット信号送信装置のクロック生成回路５がＡＳＫ変調回路６に出力する分周クロック信号と略同一の信号）がＡＳＫ復調回路１７ＲからＰＬＬ回路１８Ｒに送出される。ＰＬＬ回路１８Ｒは、ＡＳＫ復調回路１７Ｒから出力される信号に基づいてクロック信号を生成し、そのクロック信号を波形整形回路１１Ｒに送出する。
【００３１】
また、図１に示す本発明に係る１ビット信号送信装置から送信されるミリ波信号がミリ波受信部７Ｌの受信アンテナ７ＬＡで受信される。ミリ波受信部７Ｌは、受信アンテナ７ＬＡで受信された信号をローノイズアンプ７ＬＢにより増幅し、バンドパスフィルタ７ＬＣにより所定のミリ波周波数帯のみを通過させて得られた信号を、ミキサ７ＬＤにより局部発振回路７ＬＥから出力される第４の周波数ｆ４（例えば、５９ＧＨｚ）の局部発振信号と混合することによって周波数下降変換したのち分離回路１４Ｌに出力する。ミリ波受信部７Ｌから分離回路１４Ｌに出力される信号は、例えばそれぞれの中心周波数が１．４ＧＨｚ、１．７ＧＨｚ、１．９ＧＨｚの信号を合成した信号である。
【００３２】
分離回路１４Ｌは、ミリ波受信部７Ｌから出力される信号から中心周波数が上記第２の周波数（例えば、１．９ＧＨｚ）の信号を分離してバンドパスフィルタ８Ｌに送出するとともに、ミリ波受信部７Ｌから出力される信号から中心周波数が上記第３の周波数（例えば、１．４ＧＨｚ）の信号を分離してバンドパスフィルタ１５Ｌに送出する。
【００３３】
分離回路１４Ｌから出力された中心周波数が上記第２の周波数（例えば、１．９ＧＨｚ）の信号を、バンドパスフィルタ８Ｌにより上記第２の周波数帯のみを通過させ、アンプ９Ｌにより増幅し、ＡＳＫ復調回路１０ＬによりＡＳＫ復調し、波形整形回路１１Ｌにより波形整形して得られた信号を１ビットディジタルアンプ１２Ｌによりディジタル増幅した後１ビットディジタルアンプ１２Ｌ内のローパスフィルタ（不図示）によりアナログ信号に変換し、スピーカ１３Ｌによりそのアナログ信号に応じた音声出力を行う。なお、波形整形回路１１Ｌは、後述するＰＬＬ回路１８Ｌから出力されるクロック信号を用いてサンプリングをし、波形整形を行っている。
【００３４】
分離回路１４Ｌから出力された中心周波数が上記第３の周波数（例えば、１．４ＧＨｚ）の信号を、バンドパスフィルタ１５Ｌにより上記第３の周波数帯のみを通過させ、アンプ１６Ｌにより増幅し、ＡＳＫ復調回路１７ＬによりＡＳＫ復調して得られた信号（図１に示す本発明に係る１ビット信号送信装置のクロック生成回路５がＡＳＫ変調回路６に出力する分周クロック信号と略同一の信号）がＡＳＫ復調回路１７ＬからＰＬＬ回路１８Ｌに送出される。ＰＬＬ回路１８Ｌは、ＡＳＫ復調回路１７Ｌから出力される信号に基づいてクロック信号を生成し、そのクロック信号を波形整形回路１１Ｌに送出する。
【００３５】
図１に示す本発明に係る１ビット信号送信装置と図２に示す本発明に係る１ビット信号受信装置とから成る１ビット信号伝送システムでは、分周クロック信号が１ビットオーディオ信号と同様の処理によって無線伝送されるので、伝送経路における外来ノイズや信号処理による遅延などの影響が相殺される。したがって、図２に示す本発明に係る１ビット信号受信装置の波形整形回路が、上記無線伝送された分周クロック信号に基づいてＰＬＬ回路により生成されるクロック信号を用いてサンプリングをし、１ビットオーディオ信号の波形整形を行うことにより、１ビットオーディオ信号の伝送誤り及びジッターを小さくすることができる。
【００３６】
そして、実際に、図１に示す本発明に係る１ビット信号送信装置と図２に示す本発明に係る１ビット信号受信装置とから成る１ビット信号伝送システムは、図３に示す従来の１ビット信号送信装置と図４に示す従来の１ビット信号受信装置とから成る１ビット信号伝送システムに対しＳＮＲ（信号対雑音比）を２０ｄB以上改善できることが実験により確認されている。
【００３７】
なお、上述した実施形態では、１ビット信号送信装置と１ビット信号受信装置との信号伝送に６０ＧＨｚ帯の信号を用いる例で説明したが、伝送に必要な帯域を確保できるならば他の周波数帯域を用いても構わない。また、上述した実施形態では、ＡＳＫ変復調を用いる例で説明したが、ＦＳＫ（Frequency Shift Keying）変復調、ＰＳＫ（Phase Shift Keying）変復調等の他の変復調方式を用いても構わない。また、上述した実施形態では、ＲｃｈとＬｃｈの２チャンネルの信号を無線伝送する例で説明したが、単一のチャンネルの信号或いは３チャンネル以上の信号を無線伝送しても構わない。また、上述した実施形態では、オーディオ信号を無線伝送する例で説明したが、ビジュアル信号を無線伝送することやオーディオ信号とビジュアル信号を同時に無線伝送することも可能である。
【００３８】
また、図２に示す本発明に係る１ビット信号受信装置において、ミリ波受信部７Ｒとミリ波受信部７Ｌを共用化してもよく、バンドパスフィルタ１５Ｒ、アンプ１６Ｒ、ＡＳＫ復調回路１７Ｒ、及びＰＬＬ回路１８Ｒから成る回路部分とバンドパスフィルタ１５Ｌ、アンプ１６Ｌ、ＡＳＫ復調回路１７Ｌ、及びＰＬＬ回路１８Ｌから成る回路部分とを共用化してもよい。また、図１に示す本発明に係る１ビット信号送信装置において、クロック生成回路５からＡＳＫ変調回路６に出力する信号を、クロック信号そのもの又はクロック信号の逓倍信号にしてもよい。
【図面の簡単な説明】
【００３９】
【図１】は、本発明に係る１ビット信号送信装置の一構成例を示す図である。
【図２】は、本発明に係る１ビット信号受信装置の一構成例を示す図である。
【図３】は、従来の１ビット信号送信装置の一構成例を示す図である。
【図４】は、従来の１ビット信号受信装置の一構成例を示す図である。
【符号の説明】
【００４０】
１Ｒ、１Ｌ  デルタシグマ変調回路
２Ｒ、２Ｌ、６  ＡＳＫ変調回路
３  合成回路
４  ミリ波送信部
４Ａ、７ＲＤ、７ＬＤ  ミキサ
４Ｂ、７ＲＥ、７ＬＥ  局部発振回路
４Ｃ、７ＲＣ、７ＬＣ、８Ｒ、８Ｌ、１５Ｒ、１５Ｌ  バンドパスフィルタ
４Ｄ  パワーアンプ
４Ｅ  送信アンテナ
５、１９  クロック生成回路
７Ｒ、７Ｌ  ミリ波受信部
７ＲＡ、７ＬＡ  受信アンテナ
７ＲＢ、７ＬＢ  ローノイズアンプ
９Ｒ、９Ｌ、１６Ｒ、１６Ｌ  アンプ
１０Ｒ、１０Ｌ、１７Ｒ、１７Ｌ  ＡＳＫ復調回路
１１Ｒ、１１Ｌ  波形整形回路
１２Ｒ、１２Ｌ  １ビットディジタルアンプ
１３Ｒ、１３Ｌ  スピーカ
１４Ｒ、１４Ｌ  分離回路
１８Ｒ、１８Ｌ  ＰＬＬ回路
【図１】
2006128991.tif 000003
【図２】
2006128991.tif 000004
【図３】
2006128991.tif 000005
【図４】
2006128991.tif 000006